(57)【要約】【課題】バレルの回転およびバレルと一体になって回転する複数個のピストンなどによって、液圧回転装置のハウジング内の空間の液体が攪拌されるのを低減させる。【解決手段】液圧回転装置（２）が、ハウジング（４）内に回転軸と一体に回転可能に設けられ軸線方向に延びる複数個のシリンダを周方向に備えたバレル（８）と、一端部が各シリンダそれぞれに進退可能に嵌挿され他端部が各シリンダから突出した複数個のピストン（１０）と、該軸線方向の一側がハウジングに支持され他側に各ピストンの進退を案内する傾斜平面が形成された斜板（１２）と、該軸線の半径方向外方に位置し該バレルおよびピストンを覆い該バレルとともに回転する筒状のカバー部材（１４）を具備している。【選択図】図１
2009174332.tif 000002
【特許請求の範囲】
【請求項１】
ハウジングと、
このハウジング内に回転軸と一体に回転可能に設けられ軸線の方向に延びる複数個のシリンダを周方向に備えたバレルと、
一端部が各シリンダそれぞれに進退可能に嵌挿され他端部が各シリンダから突出した複数個のピストンと、
該軸線の方向の一側がハウジングに支持され他側に各ピストンの進退を案内する傾斜平面が形成された斜板と、
該軸線の半径方向外方に位置し該バレルおよびピストンを覆い該バレルとともに回転する筒状のカバー部材と、
を具備したことを特徴とする液圧回転装置。
【請求項２】
該カバー部材が、該軸線を中心にした円筒状に形成されている、
ことを特徴とする請求項１記載の液圧回転装置。
【請求項３】
該カバー部材が、バレルに一体に形成されている、
ことを特徴とする請求項１記載の液圧回転装置。
【請求項４】
該カバー部材の半径方向外側のハウジングの内壁が、該軸線を中心にした円筒状に形成されている、
ことを特徴とする請求項１記載の液圧回転装置。
【発明の詳細な説明】
【技術分野】
【０００１】
本発明は、斜板ピストン型の油圧ポンプあるいは油圧モータのような液圧回転装置に関する。
【背景技術】
【０００２】
液圧回転装置の代表例として、機械回転力を油圧力として吐出する斜板ピストン型の油圧ポンプ（例えば、特許文献１参照）、あるいは油圧力を機械回転力として出力する斜板ピストン型の油圧モータなどがある。
【０００３】
図２を参照して、この斜板ピストン型の液圧回転装置の代表例について説明する。周知のこの種ポンプおよびモータは実質上同一の構成を備えている。したがって以下においては、特に区別の必要のない場合は単に液圧回転装置と呼んで説明する。
【０００４】
液圧回転装置２０は、ハウジング４内に、回転軸６と一体に設けられ複数個のシリンダ８ａを有したバレル８と、シリンダ８ａそれぞれに進退可能に嵌挿された複数個のピストン１０と、ハウジング４に支持されピストン１０の進退を案内する傾斜平面１２ａを有した斜板１２を備えている。
【０００５】
ポンプの場合には、回転軸６を回転させることによりバレル８が回転し、バレル８の回転とともにシリンダ８ａ内のピストン１０が斜板１２の斜板平面１２ａの作用によって出入りし、液体である例えば作動油がシリンダ８ａ内に吸入され吐出される。モータの場合には逆に、各シリンダ８ａに加圧液体、例えば加圧作動油を順次流入させることにより、斜板１２の作用によってバレル８が回転し、回転軸６が回転される。
【特許文献１】特開２００７−９８５８号公報（図１）
【発明の開示】
【発明が解決しようとする課題】
【０００６】
上述したとおりの形態の従来の液圧回転装置には次のとおりの解決すべき課題がある。
【０００７】
すなわち、ハウジング４内の空間は、ピストン１０、シリンダ８ａの摺動部分からドレーンした、またピストン１０、斜板平面部１２ａなどの摺動部分を潤滑のために、液体で満たされている。したがって、ハウジング４内の空間の液体は、バレル８の回転およびバレル８と一体になって回転し、さらに進退する複数個のピストン１０などによって攪拌され、この攪拌抵抗による動力損失、発熱損失などのエネルギー損失が発生する。
【０００８】
本発明は上記事実に鑑みてなされたもので、その技術的課題は、液圧回転装置のハウジング内の空間の液体が、バレルの回転およびバレルと一体になって回転し、さらに進退する複数個のピストンなどによって攪拌されるのを低減することができる、液圧回転装置を提供することである。
【課題を解決するための手段】
【０００９】
本発明によれば上記技術的課題を解決する液圧回転装置として、ハウジングと、このハウジング内に回転軸と一体に回転可能に設けられ軸線の方向に延びる複数個のシリンダを周方向に備えたバレルと、一端部が各シリンダそれぞれに進退可能に嵌挿され他端部が各シリンダから突出した複数個のピストンと、該軸線の方向の一側がハウジングに支持され他側に各ピストンの進退を案内する傾斜平面が形成された斜板と、該軸線の半径方向外方に位置し該バレルおよびピストンを覆い該バレルとともに回転する筒状のカバー部材と、を具備したことを特徴とする液圧回転装置が提供される。
【００１０】
好適には、該カバー部材は、該軸線を中心にした円筒状に形成されている。また、該カバー部材は、バレルに一体に形成されている。さらに、該カバー部材の半径方向外側のハウジングの内壁は、該軸線を中心にした円筒状に形成されている。
【発明の効果】
【００１１】
本発明に従って構成された液圧回転装置は、ハウジング内を回転する、バレルおよびバレルに進退可能に嵌挿された複数個のピストンを覆い、バレルとともに回転する、筒状のカバー部材を具備している。したがって、カバー部材は、バレルおよびピストンを覆いカバー部材とバレルおよびピストンとの間の液体の攪拌する空間を小さくし、かつバレルと一緒に回転するので、ハウジング内の液体の攪拌を低減させることができる。
【発明を実施するための最良の形態】
【００１２】
以下、本発明に従って構成された液圧回転装置について、好適実施形態を図示している図１を参照してさらに詳細に説明する。なお、図１において、図２と実質上同一の部分は同一の符号で示されている。
【００１３】
全体を番号２で示す液圧回転装置は、ハウジング４と、ハウジング４内に回転軸６と一体に回転可能に設けられ軸線６ａの方向に延びる複数個のシリンダ８ａを周方向に備えたバレル８と、一端部が各シリンダ８ａそれぞれに進退可能に嵌挿され他端部が各シリンダ８ａから突出した複数個のピストン１０と、軸線６ａの方向の一側がハウジング４に支持され他側に各ピストン１０の進退を案内する傾斜平面１２ａが形成された斜板１２と、軸線６ａの半径方向外方に位置しバレル８およびピストン１０を覆いバレル８とともに回転する筒状のカバー部材１４を具備している。
【００１４】
ハウジング４は、一端が閉じられた筒状に形成され、閉じられた端部（図１の左端）には回転軸６が貫通しベアリング４ａによって支持されている。開放された他端部（図１の右端）はカバー５によって閉じられ、回転軸６の他端部がベアリング５ａによって支持されている。
【００１５】
カバー部材１４の半径方向外側に位置したハウジング４の内壁４ｂは、軸線６を中心にした直径Ｄの円筒状に形成されている。
【００１６】
バレル８は、ハウジング４のカバー５側に位置し、カバー５の方向への移動を止めて、回転軸６にスプラインによって一体に連結されている。複数のシリンダ８ａは、ハウジング４の閉じられた端（図１の左端）側に位置する斜板１２側に開口している。
【００１７】
斜板１２は、ハウジング４の閉じられた端側に位置し、中心に回転軸６が通る貫通穴を有した厚円板状に形成されている。ハウジング４の閉じられた端側に位置する一面はウッドラフキー１６によって、軸線６ａを中心にした回転を止めて支持されている。傾斜平面１２ａは他面に形成され、半径方向一側の薄肉部から他側の厚肉部に向けて所定の角度で傾斜している。
【００１８】
複数個のピストン１０の先端には、球軸受部を介して斜板１２の傾斜平面１２ａに摺接するスリッパ１０ａが取付けられ、複数個のピストン１０それぞれのスリッパ１０ａは、１個のリング状のリテーナ１１によって傾斜平面１２ａに付勢保持されている。
【００１９】
カバー部材１４は、軸線６ａを中心にして、バレル８の外径よりも僅かに大きな内径ｄと、ハウジング４の内径Ｄよりも僅かに小さい外径を有した円筒状に形成され、少なくともバレル８から突出したピストン１０、斜板１２の外周部、およびバレル８のシリンダ８ａが開口する端側の外周部を覆う大きさに形成されている。カバー部材１４は、バレル８側の端部がバレル８と一体になって、バレル８とともに鋳物によって形成されている。
【００２０】
カバー部材１４の大きさは、液圧回転装置２のハウジング４内の空間の液体が、バレル８の回転およびバレル８と一体になって回転し、さらに進退する複数個のピストン１０などによって攪拌される液体の空間を減少させるように、隣接する部品の形状、寸法などに合わせて設定すればよい。
【００２１】
なお、カバー部材１４をバレル８と別体に製作し、例えばロウ付けなどの手段によって一体に接合してもよい。あるいはバレル８と、例えばピンを打ち込むなどの機械的手段によって一体的に結合してもよい。
【００２２】
上述したとおりの液圧回転装置２の作用効果について説明する。
【００２３】
本発明に従って構成された液圧回転装置２は、ハウジング４内を回転する、バレル８およびバレル８に進退可能に嵌挿された複数個のピストン１０を覆い、バレル８とともに回転する、筒状のカバー部材１４を具備している。したがって、カバー部材１４は、バレル８およびピストン１０を覆いカバー部材１４とバレル８およびピストン１０との間の液体の攪拌する空間を小さくし、かつバレル８と一緒に回転するので、ハウジング４内の液体の攪拌を低減させることができる。
【００２４】
また、カバー部材１４は、軸線６ａを中心にした円筒状に形成されている。したがって回転した際の液体の攪拌を小さくできる。
【００２５】
さらに、カバー部材１４は、バレル８に一体に形成されている。したがって、構成部品の点数を増加させることのない、構造が簡単な液圧回転装置２を提供できる。
【００２６】
また、カバー部材１４の半径方向外側のハウジング４の内壁は、軸線６ａを中心にした内径Ｄの円筒状に形成されている。したがって、カバー部材１４の外周面との間の液体の攪拌を小さくできる。
【図面の簡単な説明】
【００２７】
【図１】本発明に従って構成された液圧回転装置の断面図。
【図２】従来の液圧回転装置の断面図。
【符号の説明】
【００２８】
２、２０：液圧回転装置
４：ハウジング
６：回転軸
６ａ：軸線
８：バレル
８ａ：シリンダ
１０：ピストン
１２：斜板
１２ａ：斜板平面
１４：カバー部材
【図１】
2009174332.tif 000003
【図２】
2009174332.tif 000004